(57)【要約】【課題】本来の無線通信を行う無線部と、他の無線信号を受信する受信部とがアンテナを共用する構成でも、高い通信品質が得られる無線装置を提供する。【解決手段】内蔵するアンテナ１０を無線通信部３０とＴＶチューナ部８０とで用いる場合には、制御部１３０は切替部５０を、コンデンサ４０とコンデンサ６０とを接続するとともに、外部インターフェース１２０を終端回路１００で終端させるように切替制御する。一方、外部アンテナ２００を用いる場合には、制御部１３０は切替部５０を切替制御し、外部アンテナ２００をＴＶチューナ部８０に接続するとともに、分波器２０のＴＶチューナ部８０側端子を終端回路１００を通じてグランドパターンに終端するようにしたものである。【選択図】      図１
2005311536.tif 000002
【特許請求の範囲】
【請求項１】
第１の周波数帯域の第１の信号を受信する第１の受信手段と、
第２の周波数帯域の第２の信号を受信する第２の受信手段と、
第１のアンテナと、
この第１のアンテナで受信した信号を、前記第１の信号と前記第２の信号とに分波し、この分波によって得られた第１の信号を前記第１の受信手段に出力する分波手段と、
第２のアンテナを接続するための接続手段と、
終端する終端手段と、
前記接続手段を通じて入力される信号と前記分波手段によって得られた第２の信号とのうち、いずれか一方の信号を選択的に前記第２の受信手段に出力するものであって、前記接続手段を通じて入力される信号を前記第２の受信手段に出力する場合には、前記分波手段によって得られた第２の信号を前記終端手段を通じて終端する切替手段とを具備することを特徴とする無線装置。
【請求項２】
さらに、前記接続手段に前記第２のアンテナが接続された状態にあるか否かを検出する検出手段を備え、
前記切替手段は、前記検出手段が前記第２のアンテナが接続された状態にあることを検出した場合に、前記接続手段を通じて入力される信号を前記第２の受信手段に出力するとともに、前記分波手段によって得られた第２の信号を前記終端手段を通じて終端することを特徴とする請求項１に記載の無線装置。
【請求項３】
さらに、前記接続手段に前記第２のアンテナが接続された状態にあるか否かを検出する検出手段を備え、
前記切替手段は、前記検出手段が前記第２のアンテナが接続された状態にないことを検出した場合に、前記分波手段によって得られた第２の信号を前記第２の受信手段に出力するとともに、前記接続手段を前記終端手段を通じて終端することを特徴とする請求項１に記載の無線装置。
【請求項４】
第１の周波数帯域の第１の信号を受信する第１の受信手段と、
第２の周波数帯域の第２の信号を受信する第２の受信手段と、
第１のアンテナと、
この第１のアンテナで受信した信号を、前記第１の信号と前記第２の信号とに分波し、この分波によって得られた第１の信号を前記第１の受信手段に出力する分波手段と、
第２のアンテナを接続するための接続手段と、
終端する終端手段と、
前記接続手段を通じて入力される信号と、前記分波手段によって得られた第２の信号とのうち、いずれか一方の信号を選択的に前記第２の受信手段に出力するものであって、他方の信号については前記終端手段を通じて終端する切替手段とを具備することを特徴とする無線装置。
【請求項５】
さらに、前記接続手段に前記第２のアンテナが接続された状態にあるか否かを検出する検出手段を備え、
前記切替手段は、前記検出手段が前記第２のアンテナが接続された状態にあることを検出した場合には、前記接続手段を通じて入力される信号を前記第２の受信手段に出力するとともに、前記分波手段によって得られた第２の信号を前記終端手段を通じて終端し、一方、前記検出手段が前記第２のアンテナが接続された状態にないことを検出した場合には、前記分波手段によって得られた第２の信号を前記第２の受信手段に出力するとともに、前記接続手段を前記終端手段を通じて終端することを特徴とする請求項４に記載の無線装置。
【請求項６】
第１の周波数帯域の第１の信号を受信する第１の受信手段と、
第２の周波数帯域の第２の信号を受信する第２の受信手段と、
第１のアンテナと、
この第１のアンテナで受信した信号を、前記第１の信号と前記第２の信号とに分波し、この分波によって得られた第１の信号を前記第１の受信手段に出力する分波手段と、
第２のアンテナと、
終端する終端手段と、
前記第２のアンテナで受信した信号と前記分波手段によって得られた第２の信号とのうち、いずれか一方の信号を選択的に前記第２の受信手段に出力するものであって、前記第２のアンテナで受信した信号を前記第２の受信手段に出力する場合には、前記分波手段によって得られた第２の信号を前記終端手段を通じて終端する切替手段とを具備することを特徴とする無線装置。
【請求項７】
第１の周波数帯域の第１の信号を受信する第１の受信手段と、
第２の周波数帯域の第２の信号を受信する第２の受信手段と、
第１のアンテナと、
この第１のアンテナで受信した信号を、前記第１の信号と前記第２の信号とに分波し、この分波によって得られた第１の信号を前記第１の受信手段に出力する分波手段と、
第２のアンテナと、
終端する終端手段と、
前記第２のアンテナで受信した信号と、前記分波手段によって得られた第２の信号とのうち、いずれか一方の信号を選択的に前記第２の受信手段に出力するものであって、他方の信号については前記終端手段を通じて終端する切替手段とを具備することを特徴とする無線装置。
【請求項８】
前記第１の受信手段は、移動通信システムのネットワークに接続される基地局からの信号を受信することを特徴とする請求項１乃至請求項７のいずれかに記載の無線装置。
【請求項９】
前記第２の受信手段は、テレビジョン放送信号を受信することを特徴とする請求項１乃至請求項７のいずれかに記載の無線装置。
【発明の詳細な説明】
【技術分野】
【０００１】
この発明は、例えばＴＶチューナなど本来の通信用以外の受信部を備えた携帯電話機などの無線装置に関する。
【背景技術】
【０００２】
周知のように、近時、携帯電話機はＴＶチューナやラジオチューナを備えるものがある。ＴＶチューナを備える携帯電話機の場合、ＴＶチューナによって得られた映像信号に基づくＴＶ映像を、搭載する液晶表示部などに表示し、音声については、受話用のスピーカもしくはイヤホン端子より信号出力してイヤホンより拡声出力するようにしている。  
またラジオチューナを搭載する場合についても同様に、音声を受話用のスピーカから拡声出力したり、イヤホン端子より信号出力してイヤホンより拡声出力するようにしている。
【０００３】
ところで、このようなＴＶチューナやラジオチューナなどの本来の通信以外の受信部を備える携帯電話機にあっては、例えば特許文献１に記載されるように、基地局との通信用のアンテナを、ＴＶチューナやラジオチューナによる受信にも兼用するようにしている。
【０００４】
しかしながら、上記構成のようにアンテナを兼用する場合、本来の無線通信の品質が劣化し、基地局との通信で用いる無線部のパワーアンプの利得を増大させる必要が生じるという問題があった。
【特許文献１】特開２００２−１８５３５６公報
【発明の開示】
【発明が解決しようとする課題】
【０００５】
従来の携帯電話機やＰＨＳ（Personal Handyphone System）端末をはじめとする無線装置では、本来の無線通信を行う無線部と、ＴＶチューナやラジオチューナなどの本来の通信以外の受信部とがアンテナを共用するため、上記無線部による通信品質が高くないという問題があった。
【０００６】
この発明は上記の問題を解決すべくなされたもので、本来の無線通信を行う無線部と、他の無線信号を受信する受信部とがアンテナを共用する構成でも、高い通信品質が得られる無線装置を提供することを目的とする。
【課題を解決するための手段】
【０００７】
上記の目的を達成するために、この発明は、第１の周波数帯域の第１の信号を受信する第１の受信手段と、第２の周波数帯域の第２の信号を受信する第２の受信手段と、第１のアンテナと、この第１のアンテナで受信した信号を、第１の信号と第２の信号とに分波し、この分波によって得られた第１の信号を第１の受信手段に出力する分波手段と、第２のアンテナを接続するための接続手段と、終端する終端手段と、接続手段を通じて入力される信号と分波手段によって得られた第２の信号とのうち、いずれか一方の信号を選択的に第２の受信手段に出力するものであって、接続手段を通じて入力される信号を第２の受信手段に出力する場合には、分波手段によって得られた第２の信号を終端手段を通じて終端する切替手段とを具備して構成するようにした。
【発明の効果】
【０００８】
以上述べたように、この発明では、接続手段を通じて入力される信号と分波手段によって得られた第２の信号とのうち、いずれか一方の信号を選択的に第２の受信手段に出力するとともに、接続手段を通じて入力される信号を第２の受信手段に出力する場合には、分波手段によって得られた第２の信号を終端手段を通じて終端するようにしている。
【０００９】
したがって、この発明によれば、分波手段の出力を用いない場合には、分波手段が終端されることになるので、分波手段の特性を十分に発揮でき、これにより分波手段における電力損失が軽減され、第１の受信手段が内蔵するパワーアンプの利得を増大させることなく品質の高い受信を行うことが可能な無線装置を提供できる。
【発明を実施するための最良の形態】
【００１０】
以下、図面を参照して、この発明の一実施形態について説明する。図１は、この発明の一実施形態に係わる移動無線端末装置の構成を示すものである。なお、この図では当該発明に係わる構成を主として示し、図示しないものの、画像やテキストなどを表示可能な液晶表示部、音声を拡声出力するスピーカ、音声を入力するマイクロホン、音声信号を処理する符号化／復号処理部、ユーザデータをはじめとする種々の情報や制御プログラムを記憶する記憶手段、バッテリなどを備える。
【００１１】
移動無線端末装置は、図１に示すように、アンテナ１０と、分波器２０と、無線通信部３０と、コンデンサ４０と、切替部５０と、コンデンサ６０と、ローパスフィルタ７０と、ＴＶチューナ部８０と、コンデンサ９０と、終端回路１００と、コンデンサ１１０と、外部インターフェース１２０と、制御部１３０とを備えている。
【００１２】
アンテナ１０は、ネットワークに接続される基地局ＢＳとの無線通信や、ＴＶ放送信号の受信に用いることが可能な特性を有するものであって、分波器２０に接続される。  
分波器２０は、フィルタを用いたものであって、アンテナ１０にて受信した無線信号のうち、移動通信に用いる帯域の信号については、無線通信部３０に出力し、一方、ＴＶ放送信号についてはコンデンサ４０を介して切替部５０に出力する。また分波器２０は、無線通信部３０から与えられる高周波の送信信号が入力され、この信号については、アンテナ１０に出力する。
【００１３】
無線通信部３０は、上記基地局ＢＳと無線通信を行うものであって、搬送波を音声やデータなどの情報で変調した送信信号を生成して分波器２０に出力するとともに、分波器２０を通じて入力される無線信号をダウンコンバートした後、復調して音声やデータなどの情報を得て、後段の符号化／復号処理部（図示しない）に出力する。  
切替部５０は、４つの入出力端子と４つのスイッチを備え、これらのスイッチが後述する制御部１３０によって切替制御され、上記４つの入出力端子を選択的に接続するものである。
【００１４】
ローパスフィルタ７０は、切替部５０よりコンデンサ６０を通じて入力される無線信号のうち、所定の周波数以上の成分をカットし、少なくともＴＶ放送信号を通過させてＴＶチューナ部８０に出力する。またローパスフィルタ７０は、ＴＶチューナ部８０にて生じる不要輻射が無線通信部３０に対して悪影響を及ぼさないようにするために、上記不要輻射の成分をカットする。
【００１５】
ＴＶチューナ部８０は、ローパスフィルタ７０を通じて入力されるＴＶ放送信号を復調し、映像信号および音声信号を得るものである。  
終端回路１００は、上記分波器２０のフィルタ特性に応じた抵抗値を有する抵抗器を備え、切替部５０の入出力端子の１つをコンデンサ９０および上記抵抗器を介して、当該移動無線端末装置の回路基板のグランドパターンに接続するものである。  
外部インターフェース１２０は、ＴＶ放送信号の受信に適した外部アンテナ２００が接続可能なインターフェースである。
【００１６】
制御部１３０は、上記基地局ＢＳを通じた音声やデータの通信制御をはじめ、当該移動無線端末装置の各部を統括して制御するものである。また制御部１３０は、外部インターフェース１２０に外部アンテナ２００が接続されたことを検出する検出部１３０ａを備え、この検出部１３０ａの検出結果に応じて、切替部５０の各スイッチを切替制御する機能を新たに備える。
【００１７】
次に、上記構成の移動無線端末装置の動作について説明する。  
まず図２を参照して、外部アンテナ２００を用いることなく、内蔵するアンテナ１０を利用してＴＶ放送信号を受信する場合について説明する。
【００１８】
この場合、外部アンテナ２００は、外部インターフェース１２０に接続されていないため、検出部１３０ａは外部アンテナ２００が接続されていないことを検出する。これに対して制御部１３０は、外部インターフェース１２０に外部アンテナ２００が接続されていないという検出結果に基づき、図２に示すように切替部５０を切替制御し、コンデンサ４０とコンデンサ６０とを接続するとともに、コンデンサ９０とコンデンサ１１０とを接続する。
【００１９】
これにより、アンテナ１０は、無線通信部３０とＴＶチューナ部８０とにそれぞれ電気的に接続され、これらに対して受信した無線信号を供給するとともに、無線通信部３０から出力される送信信号が入力され、これを空間に放射する。また外部インターフェース１２０は、コンデンサ１１０，９０を介して終端回路１００によりグランドパターンに終端される。
【００２０】
次に図３を参照して、外部アンテナ２００を利用してＴＶ放送信号を受信する場合について説明する。  
この場合、外部アンテナ２００は、外部インターフェース１２０に接続されるため、検出部１３０ａは外部アンテナ２００が接続されていることを検出する。これに対して制御部１３０は、外部インターフェース１２０に外部アンテナ２００が接続されているという検出結果に基づき、図３に示すように切替部５０を切替制御し、コンデンサ４０とコンデンサ９０とを接続するとともに、コンデンサ６０とコンデンサ１１０とを接続する。
【００２１】
これにより、外部アンテナ２００は、外部インターフェース１２０、コンデンサ１１０、切替部５０、コンデンサ６０およびローパスフィルタ７０を介してＴＶチューナ部８０に電気的に接続される。このため、ＴＶチューナ部８０は、ＴＶ放送信号が外部アンテナ２００によって供給されることになる。
【００２２】
また一方、アンテナ１０は、分波器２０を介して無線通信部３０に電気的に接続され、無線通信部３０に対して受信した無線信号を供給するとともに、無線通信部３０から出力される送信信号が入力され、これを空間に放射する。また分波器２０のＴＶチューナ部８０側端子は、コンデンサ４０、切替部５０およびコンデンサ９０を介して終端回路１００によりグランドパターンに終端される。
【００２３】
以上のように、上記構成の移動無線端末装置では、内蔵するアンテナ１０を無線通信部３０とＴＶチューナ部８０とで用いる場合には、制御部１３０は切替部５０を、外部インターフェース１２０を終端回路１００で終端させるように切替制御する。
【００２４】
一方、外部アンテナ２００を用いる場合には、制御部１３０は切替部５０を切替制御し、外部アンテナ２００をＴＶチューナ部８０に接続するとともに、分波器２０のＴＶチューナ部８０側端子を終端回路１００を通じてグランドパターンに終端するようにしている。
【００２５】
したがって、上記構成の移動無線端末装置によれば、用いない状態にある分波器２０のＴＶチューナ部８０側端子を終端回路１００で終端させるようにしているので、分波器２０が本来のフィルタ特性を十分に発揮でき、これにより分波器２０における電力損失が軽減され、無線通信部３０は内蔵するパワーアンプの利得を増大させることなく品質の高い送信および受信を行うことができる。
【００２６】
また外部アンテナ２００を用いない場合には、制御部１３０は切替部５０を制御し、外部インターフェース１２０を終端回路１００を通じてグランドパターンに終端するようにしている。
【００２７】
したがって、上記構成の移動無線端末装置によれば、用いない状態にある外部インターフェース１２０を終端回路１００で終端させるようにしているので、外部インターフェース１２０からコンデンサ９０に至る線路が、アンテナ１０に通ずる線路とアンテナ結合することが防止できる。
【００２８】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００２９】
その一例として例えば、上記実施の形態では、切替部５０として、４つのスイッチを用いたＤＰＤＴ（Double Port Double Through）型のスイッチを用いた場合を例に挙げて説明したが、これに代わって例えば、２つのスイッチを用いたＳＰＤＴ（Single Port Double Through）型のスイッチを用いて実現することも可能である。
【００３０】
また、上記実施の形態では、ＴＶ放送を受信するためのＴＶチューナ部８０を設けた場合を例に挙げて説明したが、これに限定されるものではなく、ＴＶチューナ部８０に代わって例えば、ラジオ放送信号やＧＰＳ（Global Positioning System）信号、衛星放送信号、Bluetooth（Ｒ）信号およびモバイル放送などを受信する受信機を搭載する場合にも適用可能である。
【００３１】
さらに、上記実施の形態では、ＴＶ放送信号の受信に適した外部アンテナ２００を外部インターフェース１２０を通じて接続するようにしたが、これに変わって例えば、ＴＶ放送信号の受信に適した専用アンテナをアンテナ１０とは別に備える、すなわち専用アンテナとアンテナ１０を備える構成にも適用することができる。なお、この場合、上記専用アンテナはコンデンサ１１０を介して切替部５０に接続される。  
その他、この発明の要旨を逸脱しない範囲で種々の変形を施しても同様に実施可能であることはいうまでもない。
【図面の簡単な説明】
【００３２】
【図１】この発明に係わる移動無線端末装置の一実施形態の構成を示す回路ブロック図。
【図２】図１に示した移動無線端末装置の動作を説明するための図。
【図３】図１に示した移動無線端末装置の動作を説明するための図。
【符号の説明】
【００３３】
１０…アンテナ、２０…分波器、３０…無線通信部、４０…コンデンサ、５０…切替部、６０…コンデンサ、７０…ローパスフィルタ、８０…ＴＶチューナ部、９０…コンデンサ、１００…終端回路、１１０…コンデンサ、１２０…外部インターフェース、１３０…制御部、１３０ａ…検出部、２００…外部アンテナ。
【図１】
2005311536.tif 000003
【図２】
2005311536.tif 000004
【図３】
2005311536.tif 000005